(57)【要約】  本発明は動作モードの制御方法及び装置、コンピュータ記憶媒体を開示し、前記方法は、端末が、非アクティブ状態で第１動作モードから離れることをネットワーク機器とネゴシエートするステップ、及びネットワーク機器が、非アクティブ状態で第１動作モードから離れることを端末とネゴシエートするステップを含む。
2021514565.tif 000002
【特許請求の範囲】
【請求項１】
動作モードの制御方法であって、
端末が、非アクティブ状態で第１動作モードから離れることをネットワーク機器とネゴシエートするステップを含む、前記動作モードの制御方法。
【請求項２】
前記端末が、非アクティブ状態で第１動作モードから離れることをネットワーク機器とネゴシエートするステップは、
前記端末が、前記第１動作モードから離れることを要求するための第１要求メッセージを非アクティブ状態で前記ネットワーク機器に送信するステップと、
前記端末が、前記ネットワーク機器から送信された、前記第１要求メッセージを拒絶すること又は前記第１要求メッセージを受け付けることを指示するための第１応答メッセージを受信するステップと、
前記第１応答メッセージが前記第１要求メッセージを受け付けることを指示する場合、前記端末が前記第１動作モードから離れるステップと、を含む、請求項１に記載の方法。
【請求項３】
前記端末が非アクティブ状態で前記ネットワーク機器に第１要求メッセージを送信するステップは、
前記端末が非アクティブ状態で前記第１動作モードのスリープ状態からウェイクアップしてネットワークと通信する必要がある場合、前記ネットワーク機器に前記第１要求メッセージを送信するステップを含む、請求項２に記載の方法。
【請求項４】
前記端末が、非アクティブ状態で第１動作モードから離れることをネットワーク機器とネゴシエートするステップは、
前記端末が、前記ネットワーク機器から送信された、前記第１動作モードから離れることを前記端末に指示するための指示情報を非アクティブ状態で受信するステップと、
前記端末が前記指示情報に基づき前記第１動作モードから離れるステップと、を含む、請求項１に記載の方法。
【請求項５】
前記端末が、前記ネットワーク機器から送信された指示情報を非アクティブ状態で受信するステップは、
前記端末が非アクティブ状態で前記第１動作モードのスリープ状態からウェイクアップしてネットワークと通信する必要がある場合、前記ネットワーク機器から送信された指示情報を受信するステップを含む、請求項４に記載の方法。
【請求項６】
前記ネットワーク機器から送信された指示情報を受信する前記ステップは、
前記端末がアクセスネットワーク要素から送信されたコアネットワーク要素からの指示情報を受信するステップを含む、請求項５に記載の方法。
【請求項７】
前記指示情報は、前記コアネットワーク要素が前記アクセスネットワーク要素に送信するデータに運ばれる、請求項６に記載の方法。
【請求項８】
コアネットワーク要素からの前記指示情報は、コアネットワークの制御プレーンネットワーク要素からの指示情報、又はコアネットワークのユーザプレーンネットワーク要素からの指示情報である、請求項６又は７に記載の方法。
【請求項９】
前記指示情報はサービス品質（ＱｏＳ）情報を含む、請求項８に記載の方法。
【請求項１０】
前記端末が、非アクティブ状態で第１動作モードから離れることをネットワーク機器とネゴシエートするステップは、
前記端末が、非アクティブ状態で前記第１動作モードに対応する第１タイマーを前記ネットワーク機器とネゴシエートするステップと、
前記第１タイマーがタイムアウトする場合、前記端末が前記第１動作モードから離れるステップと、を含む、請求項１に記載の方法。
【請求項１１】
前記方法は、
前記端末が前記第１動作モードに入ると、前記第１タイマーを再起動するステップをさらに含む、請求項１０に記載の方法。
【請求項１２】
前記第１動作モードから離れることとは、前記端末が前記第１動作モードのスリープ状態からウェイクアップされることを指す、請求項１〜１１のいずれか１項に記載の方法。
【請求項１３】
前記端末は、前記第１動作モードで、
測定操作、セル選択操作、セル再選択操作、ビーム選択操作、ビーム再選択操作、上り信号送信操作、下り信号受信操作という操作の少なくとも１つを実行しない、請求項１〜１２のいずれか１項に記載の方法。
【請求項１４】
動作モードの制御方法であって、
ネットワーク機器が、非アクティブ状態で第１動作モードから離れることを端末とネゴシエートするステップを含む、前記動作モードの制御方法。
【請求項１５】
前記ネットワーク機器が、非アクティブ状態で第１動作モードから離れることを端末とネゴシエートするステップは、
前記ネットワーク機器が、非アクティブ状態にある前記端末から送信された、前記第１動作モードから離れることを要求するための第１要求メッセージを受信するステップと、
前記ネットワーク機器が、前記第１要求メッセージを拒絶すること又は前記第１要求メッセージを受け付けることを指示するための第１応答メッセージを前記端末に送信するステップと、を含む、請求項１４に記載の方法。
【請求項１６】
前記ネットワーク機器が、非アクティブ状態で第１動作モードから離れることを端末とネゴシエートするステップは、
前記ネットワーク機器が、前記第１動作モードから離れることを前記端末に指示するための指示情報を、非アクティブ状態にある前記端末に送信するステップを含む、請求項１４に記載の方法。
【請求項１７】
前記ネットワーク機器が非アクティブ状態にある前記端末に指示情報を送信するステップは、
コアネットワーク要素がアクセスネットワーク要素に指示情報を送信するステップと、
前記アクセスネットワーク要素が前記端末に前記指示情報を送信するステップと、を含む、請求項１６に記載の方法。
【請求項１８】
前記指示情報は、前記コアネットワーク要素が前記アクセスネットワーク要素に送信するデータに運ばれる、請求項１７に記載の方法。
【請求項１９】
前記コアネットワーク要素は、コアネットワークの制御プレーンネットワーク要素又はコアネットワークのユーザプレーンネットワーク要素である、請求項１７又は１８に記載の方法。
【請求項２０】
前記指示情報はサービス品質（ＱｏＳ）情報を含む、請求項１９に記載の方法。
【請求項２１】
前記ネットワーク機器が、非アクティブ状態で第１動作モードから離れることを端末とネゴシエートするステップは、
前記ネットワーク機器が、非アクティブ状態で前記第１動作モードに対応する第１タイマーを前記端末とネゴシエートするステップを含み、前記第１タイマーがタイムアウトする場合、前記端末が前記第１動作モードから離れることをトリガーする、請求項１４に記載の方法。
【請求項２２】
前記第１動作モードから離れることとは、前記端末が前記第１動作モードのスリープ状態からウェイクアップされることを指す、請求項１４〜２１のいずれか１項に記載の方法。
【請求項２３】
前記端末は、前記第１動作モードで、
測定操作、セル選択操作、セル再選択操作、ビーム選択操作、ビーム再選択操作、上り信号送信操作、下り信号受信操作という操作の少なくとも１つを実行しない、請求項１４〜２２のいずれか１項に記載の方法。
【請求項２４】
端末に適用される動作モードの制御装置であって、
非アクティブ状態で第１動作モードから離れることをネットワーク機器とネゴシエートするように構成されるネゴシエートユニットを備える、前記動作モードの制御装置。
【請求項２５】
前記ネゴシエートユニットは、
前記第１動作モードから離れることを要求するための第１要求メッセージを非アクティブ状態で前記ネットワーク機器に送信するように構成される送信サブユニットと、
前記ネットワーク機器から送信された、前記第１要求メッセージを拒絶すること又は前記第１要求メッセージを受け付けることを指示するための第１応答メッセージを受信するように構成される第１受信サブユニットと、
前記第１応答メッセージが前記第１要求メッセージを受け付けることを指示する場合、前記第１動作モードから離れるように構成される第１モード制御サブユニットと、を備える、請求項２４に記載の装置。
【請求項２６】
前記送信サブユニットは、非アクティブ状態で前記第１動作モードのスリープ状態からウェイクアップしてネットワークと通信する必要がある場合、前記ネットワーク機器に前記第１要求メッセージを送信するように構成される、請求項２５に記載の装置。
【請求項２７】
前記ネゴシエートユニットは、
前記ネットワーク機器から送信された、前記第１動作モードから離れることを前記端末に指示するための指示情報を非アクティブ状態で受信するように構成される第２受信サブユニットと、
前記指示情報に基づき前記第１動作モードから離れるように構成される第２モード制御サブユニットと、を備える、請求項２４に記載の装置。
【請求項２８】
前記第２受信サブユニットは、非アクティブ状態で前記第１動作モードのスリープ状態からウェイクアップしてネットワークと通信する必要がある場合、前記ネットワーク機器から送信された指示情報を受信するように構成される、請求項２７に記載の装置。
【請求項２９】
前記第２受信サブユニットは、アクセスネットワーク要素から送信されたコアネットワーク要素からの指示情報を受信するように構成される、請求項２８に記載の装置。
【請求項３０】
前記指示情報は、前記コアネットワーク要素が前記アクセスネットワーク要素に送信するデータに運ばれる、請求項２９に記載の装置。
【請求項３１】
コアネットワーク要素からの前記指示情報は、コアネットワークの制御プレーンネットワーク要素からの指示情報、又はコアネットワークのユーザプレーンネットワーク要素からの指示情報である、請求項２８又は２９に記載の装置。
【請求項３２】
前記指示情報はサービス品質（ＱｏＳ）情報を含む、請求項３１に記載の装置。
【請求項３３】
前記ネゴシエートユニットは、
非アクティブ状態で前記第１動作モードに対応する第１タイマーを前記ネットワーク機器とネゴシエートするように構成されるネゴシエートサブユニットと、
前記第１タイマーがタイムアウトする場合、前記第１動作モードから離れるように構成される第３モード制御サブユニットと、を備える、請求項２４に記載の装置。
【請求項３４】
前記第３モード制御サブユニットはさらに、前記端末が前記第１動作モードに入ると、前記第１タイマーを再起動するように構成される、請求項３３に記載の装置。
【請求項３５】
前記第１動作モードから離れることとは、前記端末が前記第１動作モードのスリープ状態からウェイクアップされることを指す、請求項２４〜３４のいずれか１項に記載の装置。
【請求項３６】
前記端末は、前記第１動作モードで、
測定操作、セル選択操作、セル再選択操作、ビーム選択操作、ビーム再選択操作、上り信号送信操作、下り信号受信操作という操作の少なくとも１つを実行しない、請求項２４〜３５のいずれか１項に記載の装置。
【請求項３７】
ネットワーク機器に適用される動作モードの制御装置であって、
非アクティブ状態で第１動作モードから離れることを端末とネゴシエートするように構成されるネゴシエートユニットを備える、前記動作モードの制御装置。
【請求項３８】
前記ネゴシエートユニットは、
非アクティブ状態にある前記端末から送信された、前記第１動作モードから離れることを要求するための第１要求メッセージを受信するように構成される受信サブユニットと、
前記第１要求メッセージを拒絶すること又は前記第１要求メッセージを受け付けることを指示するための第１応答メッセージを前記端末に送信するように構成される第１送信サブユニットと、を備える、請求項３７に記載の装置。
【請求項３９】
前記ネゴシエートユニットは、前記第１動作モードから離れることを前記端末に指示するための指示情報を、非アクティブ状態にある前記端末に送信するように構成される、請求項３７に記載の装置。
【請求項４０】
前記ネゴシエートユニットは、
アクセスネットワーク要素に指示情報を送信するように構成されるコアネットワーク送信サブユニットと、
アクセスネットワーク要素に指示情報を送信するように構成されるアクセスネットワーク送信サブユニットと、を備える、請求項３９に記載の装置。
【請求項４１】
前記指示情報は、前記コアネットワーク要素が前記アクセスネットワーク要素に送信するデータに運ばれる、請求項４０に記載の装置。
【請求項４２】
前記コアネットワーク要素は、コアネットワークの制御プレーンネットワーク要素又はコアネットワークのユーザプレーンネットワーク要素である、請求項４０又は４１に記載の装置。
【請求項４３】
前記指示情報はサービス品質（ＱｏＳ）情報を含む、請求項４２に記載の装置。
【請求項４４】
前記ネゴシエートユニットは、非アクティブ状態で前記第１動作モードに対応する第１タイマーを前記端末とネゴシエートするように構成され、前記第１タイマーがタイムアウトする場合、前記端末が前記第１動作モードから離れることをトリガーする、請求項３７に記載の装置。
【請求項４５】
前記第１動作モードから離れることとは、前記端末が前記第１動作モードのスリープ状態からウェイクアップされることを指す、請求項３７〜４４のいずれか１項に記載の装置。
【請求項４６】
前記端末は、前記第１動作モードで、
測定操作、セル選択操作、セル再選択操作、ビーム選択操作、ビーム再選択操作、上り信号送信操作、下り信号受信操作という操作の少なくとも１つを実行しない、請求項３７〜４５のいずれか１項に記載の装置。
【請求項４７】
コンピュータ記憶媒体であって、プロセッサによって実行されるときに請求項１〜１３のいずれか１項に記載の方法ステップ、又は請求項１４〜２３のいずれか１項に記載の方法ステップが実現されるコンピュータ実行可能指令が記憶されている、前記コンピュータ記憶媒体。
【発明の詳細な説明】
【技術分野】
【０００１】
本発明は端末省電力の技術分野に関し、特に動作モードの制御方法及び装置、コンピュータ記憶媒体に関する。
【背景技術】
【０００２】
端末の消費電力を節約するために、端末はデータを伝送しない場合、アイドル状態に入り、その後、省電力モードに入る。省電力モードでは、端末は、シャットダウンの状態（スリープ状態と呼ばれる）と同様に、何の操作も実行しない。端末はデータ送信又は領域更新を実行する必要がある場合、積極的にネットワークと接続を確立する。省電力モードの場合、端末はネットワーク到達不可状態であり、着信データがあれば、ネットワークは端末がデータ送信又は領域更新を実行するときに着信データを端末に送信することができる。第５世代移動通信（５Ｇ：５ｔｈ  Ｇｅｎｅｒａｔｉｏｎ）システムでは、非アクティブ状態が導入され、端末が非アクティブ状態の場合、端末のコンテキストがネットワーク側に保存され、端末がデータを伝送する必要がある場合、端末とネットワーク側が端末のコンテキストを復元し、それにより、データ伝送の時間を節約する。
【０００３】
現在、端末の省電力モードはアイドル状態に限定されており、非アクティブ状態では、端末の消費電力をさらに節約する必要がある。また、端末の省電力モードを非アクティブ状態に導入すれば、如何に非アクティブ状態で端末の省電力モードを制御するかは解決すべき課題となっている。
【発明の概要】
【発明が解決しようとする課題】
【０００４】
上記技術的課題を解決するために、本発明の実施例は動作モードの制御方法及び装置、コンピュータ記憶媒体を提供する。
【課題を解決するための手段】
【０００５】
本発明の実施例に係る動作モードの制御方法であって、
端末が、非アクティブ状態で第１動作モードから離れることをネットワーク機器とネゴシエートするステップを含む。
【０００６】
本発明の実施例では、前記端末が、非アクティブ状態で第１動作モードから離れることをネットワーク機器とネゴシエートするステップは、
前記端末が、前記第１動作モードから離れることを要求するための第１要求メッセージを非アクティブ状態で前記ネットワーク機器に送信するステップと、
前記端末が、前記ネットワーク機器から送信された、前記第１要求メッセージを拒絶すること又は前記第１要求メッセージを受け付けることを指示するための第１応答メッセージを受信するステップと、
前記第１応答メッセージが前記第１要求メッセージを受け付けることを指示する場合、前記端末が前記第１動作モードから離れるステップと、を含む。
【０００７】
本発明の実施例では、前記端末が非アクティブ状態で前記ネットワーク機器に第１要求メッセージを送信するステップは、
前記端末が非アクティブ状態で前記第１動作モードのスリープ状態からウェイクアップしてネットワークと通信する必要がある場合、前記ネットワーク機器に前記第１要求メッセージを送信するステップを含む。
【０００８】
本発明の実施例では、前記端末が、非アクティブ状態で第１動作モードから離れることをネットワーク機器とネゴシエートするステップは、
前記端末が、前記ネットワーク機器から送信された、前記第１動作モードから離れることを前記端末に指示するための指示情報を非アクティブ状態で受信するステップと、
前記端末が前記指示情報に基づき前記第１動作モードから離れるステップと、を含む。
【０００９】
本発明の実施例では、前記端末が、前記ネットワーク機器から送信された指示情報を非アクティブ状態で受信するステップは、
前記端末が非アクティブ状態で前記第１動作モードのスリープ状態からウェイクアップしてネットワークと通信する必要がある場合、前記ネットワーク機器から送信された指示情報を受信するステップを含む。
【００１０】
本発明の実施例では、前記ネットワーク機器から送信された指示情報を受信する前記ステップは、
前記端末がアクセスネットワーク要素から送信されたコアネットワーク要素からの指示情報を受信するステップを含む。
【００１１】
本発明の実施例では、前記指示情報は、前記コアネットワーク要素が前記アクセスネットワーク要素に送信するデータに運ばれる。
【００１２】
本発明の実施例では、コアネットワーク要素からの前記指示情報は、コアネットワークの制御プレーンネットワーク要素からの指示情報、又はコアネットワークのユーザプレーンネットワーク要素からの指示情報である。
【００１３】
本発明の実施例では、前記指示情報はサービス品質（ＱｏＳ：Ｑｕａｌｉｔｙ  ｏｆ  Ｓｅｒｖｉｃｅ）情報を含む。
【００１４】
本発明の実施例では、前記端末が、非アクティブ状態で第１動作モードから離れることをネットワーク機器とネゴシエートするステップは、
前記端末が、非アクティブ状態で前記第１動作モードに対応する第１タイマーを前記ネットワーク機器とネゴシエートするステップと、
前記第１タイマーがタイムアウトする場合、前記端末が前記第１動作モードから離れるステップと、を含む。
【００１５】
本発明の実施例では、前記方法は、
前記端末が前記第１動作モードに入ると、前記第１タイマーを再起動するステップをさらに含む。
【００１６】
本発明の実施例では、前記第１動作モードから離れることとは、前記端末が前記第１動作モードのスリープ状態からウェイクアップされることを指す。
【００１７】
本発明の実施例では、前記端末は、前記第１動作モードで、
測定操作、セル選択操作、セル再選択操作、ビーム選択操作、ビーム再選択操作、上り信号送信操作、下り信号受信操作という操作の少なくとも１つを実行しない。
【００１８】
本発明の実施例に係る動作モードの制御方法であって、
ネットワーク機器が、非アクティブ状態で第１動作モードから離れることを端末とネゴシエートするステップを含む。
【００１９】
本発明の実施例では、前記ネットワーク機器が、非アクティブ状態で第１動作モードから離れることを端末とネゴシエートするステップは、
前記ネットワーク機器が、非アクティブ状態にある前記端末から送信された、前記第１動作モードから離れることを要求するための第１要求メッセージを受信するステップと、
前記ネットワーク機器が、前記第１要求メッセージを拒絶すること又は前記第１要求メッセージを受け付けることを指示するための第１応答メッセージを前記端末に送信するステップと、を含む。
【００２０】
本発明の実施例では、前記ネットワーク機器が、非アクティブ状態で第１動作モードから離れることを端末とネゴシエートするステップは、
前記ネットワーク機器が、前記第１動作モードから離れることを前記端末に指示するための指示情報を、非アクティブ状態にある前記端末に送信するステップを含む。
【００２１】
本発明の実施例では、前記ネットワーク機器が非アクティブ状態にある前記端末に指示情報を送信するステップは、
コアネットワーク要素がアクセスネットワーク要素に指示情報を送信するステップと、
前記アクセスネットワーク要素が前記端末に前記指示情報を送信するステップと、を含む。
【００２２】
本発明の実施例では、前記指示情報は、前記コアネットワーク要素が前記アクセスネットワーク要素に送信するデータに運ばれる。
【００２３】
本発明の実施例では、前記コアネットワーク要素は、コアネットワークの制御プレーンネットワーク要素又はコアネットワークのユーザプレーンネットワーク要素である。
【００２４】
本発明の実施例では、前記指示情報はＱｏＳ情報を含む。
【００２５】
本発明の実施例では、前記ネットワーク機器が、非アクティブ状態で第１動作モードから離れることを端末とネゴシエートするステップは、
前記ネットワーク機器が、非アクティブ状態で前記第１動作モードに対応する第１タイマーを前記端末とネゴシエートするステップを含み、前記第１タイマーがタイムアウトする場合、前記端末が前記第１動作モードから離れることをトリガーする。
【００２６】
本発明の実施例では、前記第１動作モードから離れることとは、前記端末が前記第１動作モードのスリープ状態からウェイクアップされることを指す。
【００２７】
本発明の実施例では、前記端末は、前記第１動作モードで、
測定操作、セル選択操作、セル再選択操作、ビーム選択操作、ビーム再選択操作、上り信号送信操作、下り信号受信操作という操作の少なくとも１つを実行しない。
【００２８】
本発明の実施例に係る動作モードの制御装置であって、端末に応用され、前記装置は、
非アクティブ状態で第１動作モードから離れることをネットワーク機器とネゴシエートするように構成されるネゴシエートユニットを備える。
【００２９】
本発明の実施例では、前記ネゴシエートユニットは、
前記第１動作モードから離れることを要求するための第１要求メッセージを非アクティブ状態で前記ネットワーク機器に送信するように構成される送信サブユニットと、
前記ネットワーク機器から送信された、前記第１要求メッセージを拒絶すること又は前記第１要求メッセージを受け付けることを指示するための第１応答メッセージを受信するように構成される第１受信サブユニットと、
前記第１応答メッセージが前記第１要求メッセージを受け付けることを指示する場合、前記第１動作モードから離れるように構成される第１モード制御サブユニットと、を備える。
【００３０】
本発明の実施例では、前記送信サブユニットは、非アクティブ状態で前記第１動作モードのスリープ状態からウェイクアップしてネットワークと通信する必要がある場合、前記ネットワーク機器に前記第１要求メッセージを送信するように構成される。
【００３１】
本発明の実施例では、前記ネゴシエートユニットは、
前記ネットワーク機器から送信された、前記第１動作モードから離れることを前記端末に指示するための指示情報を非アクティブ状態で受信するように構成される第２受信サブユニットと、
前記指示情報に基づき前記第１動作モードから離れるように構成される第２モード制御サブユニットと、を備える。
【００３２】
本発明の実施例では、前記第２受信サブユニットは、非アクティブ状態で前記第１動作モードのスリープ状態からウェイクアップしてネットワークと通信する必要がある場合、前記ネットワーク機器から送信された指示情報を受信するように構成される。
【００３３】
本発明の実施例では、前記第２受信サブユニットは、アクセスネットワーク要素から送信されたコアネットワーク要素からの指示情報を受信するように構成される。
【００３４】
本発明の実施例では、前記指示情報は、前記コアネットワーク要素が前記アクセスネットワーク要素に送信するデータに運ばれる。
【００３５】
本発明の実施例では、コアネットワーク要素からの前記指示情報は、コアネットワークの制御プレーンネットワーク要素からの指示情報、又はコアネットワークのユーザプレーンネットワーク要素からの指示情報である。
【００３６】
本発明の実施例では、前記指示情報はＱｏＳ情報を含む。
【００３７】
本発明の実施例では、前記ネゴシエートユニットは、
非アクティブ状態で前記第１動作モードに対応する第１タイマーを前記ネットワーク機器とネゴシエートするように構成されるネゴシエートサブユニットと、
前記第１タイマーがタイムアウトする場合、前記第１動作モードから離れるように構成される第３モード制御サブユニットと、を備える。
【００３８】
本発明の実施例では、前記第３モード制御サブユニットはさらに、前記端末が前記第１動作モードに入ると、前記第１タイマーを再起動するように構成される。
【００３９】
本発明の実施例では、前記第１動作モードから離れることとは、前記端末が前記第１動作モードのスリープ状態からウェイクアップされることを指す。
【００４０】
本発明の実施例では、前記端末は、前記第１動作モードで、
測定操作、セル選択操作、セル再選択操作、ビーム選択操作、ビーム再選択操作、上り信号送信操作、下り信号受信操作という操作の少なくとも１つを実行しない。
【００４１】
本発明の実施例に係る動作モードの制御装置であって、ネットワーク機器に応用され、前記装置は、
非アクティブ状態で第１動作モードから離れることを端末とネゴシエートするように構成されるネゴシエートユニットを備える。
【００４２】
本発明の実施例では、前記ネゴシエートユニットは、
非アクティブ状態にある前記端末から送信された、前記第１動作モードから離れることを要求するための第１要求メッセージを受信するように構成される受信サブユニットと、
前記第１要求メッセージを拒絶すること又は前記第１要求メッセージを受け付けることを指示するための第１応答メッセージを前記端末に送信するように構成される第１送信サブユニットと、を備える。
【００４３】
本発明の実施例では、前記ネゴシエートユニットは、前記第１動作モードから離れることを前記端末に指示するための指示情報を、非アクティブ状態にある前記端末に送信するように構成される。
【００４４】
本発明の実施例では、前記ネゴシエートユニットは、
アクセスネットワーク要素に指示情報を送信するように構成されるコアネットワーク送信サブユニットと、
アクセスネットワーク要素に指示情報を送信するように構成されるアクセスネットワーク送信サブユニットと、を備える。
【００４５】
本発明の実施例では、前記指示情報は、前記コアネットワーク要素が前記アクセスネットワーク要素に送信するデータに運ばれる。
【００４６】
本発明の実施例では、前記コアネットワーク要素は、コアネットワークの制御プレーンネットワーク要素又はコアネットワークのユーザプレーンネットワーク要素である。
【００４７】
本発明の実施例では、前記指示情報はＱｏＳ情報を含む。
【００４８】
本発明の実施例では、前記ネゴシエートユニットは、非アクティブ状態で前記第１動作モードに対応する第１タイマーを前記端末とネゴシエートするように構成され、前記第１タイマーがタイムアウトする場合、前記端末が前記第１動作モードから離れることをトリガーする。
【００４９】
本発明の実施例では、前記第１動作モードから離れることとは、前記端末が前記第１動作モードのスリープ状態からウェイクアップされることを指す。
【００５０】
本発明の実施例では、前記端末は、前記第１動作モードで、
測定操作、セル選択操作、セル再選択操作、ビーム選択操作、ビーム再選択操作、上り信号送信操作、下り信号受信操作という操作の少なくとも１つを実行しない。
【００５１】
本発明の実施例に係るコンピュータ記憶媒体であって、プロセッサによって実行されるときに上記動作モードの制御方法が実現されるコンピュータ実行可能指令が記憶されている。
【発明の効果】
【００５２】
本発明の実施例に係る技術案では、端末は、非アクティブ状態で第１動作モードから離れることをネットワーク機器とネゴシエートする。ここでは、第１動作モードは省電力モードである。本発明の実施例に係る技術案によれば、非アクティブ状態で省電力モードに入り、端末の消費電力を節約し、また、サービス需要がある場合、端末が省電力モードから離れ、それにより、サービスの通信性能を確保する。
【図面の簡単な説明】
【００５３】
【図１】本発明の実施例に係る５Ｇネットワークのシステムアーキテクチャ図である。
【図２】本発明の実施例に係る動作モードの制御方法のフローチャート１である。
【図３】本発明の実施例に係る動作モードの制御方法のフローチャート２である。
【図４】本発明の実施例に係る動作モードの制御装置の概略構成図１である。
【図５】本発明の実施例に係る動作モードの制御装置の概略構成図２である。
【図６】本発明の実施例に係るコンピュータ機器の概略構成図である。
【発明を実施するための形態】
【００５４】
本明細書に説明される図面は、本発明をさらに理解するためのものであり、本願の一部を構成する。本発明の例示的実施例及びそれらの説明は本発明を解釈するためのものであり、本発明を不当に限定するものではない。
【００５５】
本発明の実施例の特徴及び技術的内容をより詳細に理解するために、以下、図面を参照しながら本発明の実施例の実現を詳細に説明する。添付の図面は参照用のものに過ぎず、本発明の実施例を限定するものではない。
【００５６】
図１は本発明の実施例に係る５Ｇネットワークのシステムアーキテクチャ図であり、図１に示すように、５Ｇネットワークシステムに関する機器は、
端末（ＵＥ：Ｕｓｅｒ  Ｅｑｕｉｐｍｅｎｔ）、無線アクセスネットワーク（ＲＡＮ：Ｒａｄｉｏ  Ａｃｃｅｓｓ  Ｎｅｔｗｏｒｋ）、ユーザプレーン機能（ＵＰＦ：Ｕｓｅｒ  Ｐｌａｎｅ  Ｆｕｎｃｔｉｏｎ）、データネットワーク（ＤＮ：Ｄａｔａ  Ｎｅｔｗｏｒｋ）、コアアクセス及びモビリティ管理機能（ＡＭＦ：Ｃｏｒｅ  Ａｃｃｅｓｓ  ａｎｄ  Ｍｏｂｉｌｉｔｙ  Ｍａｎａｇｅｍｅｎｔ  Ｆｕｎｃｔｉｏｎ）、セッション管理機能（ＳＭＦ：Ｓｅｓｓｉｏｎ  Ｍａｎａｇｅｍｅｎｔ  Ｆｕｎｃｔｉｏｎ）、ポリシー制御機能（ＰＣＦ：Ｐｏｌｉｃｙ  Ｃｏｎｔｒｏｌ  ｆｕｎｃｔｉｏｎ）、アプリケーション機能（ＡＦ：Ａｐｐｌｉｃａｔｉｏｎ  Ｆｕｎｃｔｉｏｎ）、認証サーバ機能（ＡＵＳＦ：Ａｕｔｈｅｎｔｉｃａｔｉｏｎ  Ｓｅｒｖｅｒ  Ｆｕｎｃｔｉｏｎ）、統合データ管理（ＵＤＭ：Ｕｎｉｆｉｅｄ  Ｄａｔａ  Ｍａｎａｇｅｍｅｎｔ）を備える。
【００５７】
上記図１の例は単に本発明の実施例を実現する１つのネットワークアーキテクチャ例であり、本発明の実施例は上記図１に記載のネットワーク構成に限定されない。
【００５８】
５Ｇシステムでは、より低い制御プレーン遅延、例えば１０ｍｓを実現するために、４Ｇの既存の接続状態及びアイドル状態に新しい中間状態である非アクティブ状態（又はデアクティブ状態）を導入し、当該状態では、コアネットワークの接続状態を保留し、無線側の接続状態を削除し、必要がある場合、無線側の接続が速く確立でき、それにより、元のアイドル状態から接続状態までの変換遅延を大幅に低下させる。
【００５９】
本発明の実施例に係る技術案は、非アクティブ状態で省電力モード、即ち第１動作モードに入る。
【００６０】
図２は本発明の実施例に係る動作モードの制御方法のフローチャート１であり、図２に示すように、前記動作モードの制御方法は、
端末が、非アクティブ状態で第１動作モードから離れることをネットワーク機器とネゴシエートするステップ２０１を含む。
【００６１】
ここでは、前記第１動作モードは、消費電力が少なく、実際に省電力モードである。
【００６２】
本発明の実施例では、前記端末は、前記第１動作モードで、
測定操作、セル選択操作、セル再選択操作、ビーム選択操作、ビーム再選択操作、上り信号送信操作、下り信号受信操作という操作の少なくとも１つを実行しない。
【００６３】
本発明の実施例では、端末が、非アクティブ状態で第１動作モードから離れることをネットワーク機器とネゴシエートするステップは、以下の方式で実現できる。
【００６４】
方式１において、前記端末が、前記第１動作モードから離れることを要求するための第１要求メッセージを非アクティブ状態で前記ネットワーク機器に送信し、前記端末が、前記ネットワーク機器から送信された、前記第１要求メッセージを拒絶すること又は前記第１要求メッセージを受け付けることを指示するための第１応答メッセージを受信し、前記第１応答メッセージが前記第１要求メッセージを受け付けることを指示する場合、前記端末が前記第１動作モードから離れる。
【００６５】
一実施形態では、前記端末が非アクティブ状態で前記第１動作モードのスリープ状態からウェイクアップしてネットワークと通信する必要がある場合、前記ネットワーク機器に前記第１要求メッセージを送信する。
【００６６】
方式２において、前記端末が、前記ネットワーク機器から送信された、前記第１動作モードから離れることを前記端末に指示するための指示情報を非アクティブ状態で受信し、前記端末が前記指示情報に基づき前記第１動作モードから離れる。
【００６７】
一実施形態では、前記端末が非アクティブ状態で前記第１動作モードのスリープ状態からウェイクアップしてネットワークと通信する必要がある場合、前記ネットワーク機器から送信された指示情報を受信する。
【００６８】
一実施形態では、前記端末がアクセスネットワーク要素から送信されたコアネットワーク要素からの指示情報を受信する。
【００６９】
一実施形態では、前記指示情報は、前記コアネットワーク要素が前記アクセスネットワーク要素に送信するデータに運ばれる。
【００７０】
一実施形態では、コアネットワーク要素からの前記指示情報は、コアネットワークの制御プレーンネットワーク要素からの指示情報、又はコアネットワークのユーザプレーンネットワーク要素からの指示情報である。さらに、前記指示情報は表示指示情報であってもよく、前記第１動作モードから離れることを端末に直接指示し、前記指示情報は暗黙の指示情報であってもよく、ＱｏＳ情報（例えば、遅延情報）によって、前記第１動作モードから離れることを端末に指示する。
【００７１】
方式３において、前記端末が、非アクティブ状態で前記第１動作モードに対応する第１タイマーを前記ネットワーク機器とネゴシエートし、前記第１タイマーがタイムアウトする場合、前記端末が前記第１動作モードから離れる。
【００７２】
一実施形態では、前記端末が前記第１動作モードに入ると、前記第１タイマーを再起動する。
【００７３】
本発明の実施例では、前記第１動作モードから離れることとは、前記端末が前記第１動作モードのスリープ状態からウェイクアップされることを指す。
【００７４】
図３は本発明の実施例に係る動作モードの制御方法のフローチャート２であり、図３に示すように、前記動作モードの制御方法は、
ネットワーク機器が、非アクティブ状態で第１動作モードから離れることを端末とネゴシエートするステップ３０１を含む。
【００７５】
ここでは、前記第１動作モードは、消費電力が少なく、実際に省電力モードである。
【００７６】
本発明の実施例では、前記端末は、前記第１動作モードで、
測定操作、セル選択操作、セル再選択操作、ビーム選択操作、ビーム再選択操作、上り信号送信操作、下り信号受信操作という操作の少なくとも１つを実行しない。
【００７７】
本発明の実施例では、ネットワーク機器が、非アクティブ状態で第１動作モードから離れることを端末とネゴシエートするステップは、以下の方式で実現できる。
【００７８】
方式１において、前記ネットワーク機器が、非アクティブ状態にある前記端末から送信された、前記第１動作モードから離れることを要求するための第１要求メッセージを受信し、前記ネットワーク機器が、前記第１要求メッセージを拒絶すること又は前記第１要求メッセージを受け付けることを指示するための第１応答メッセージを前記端末に送信する。
【００７９】
方式２において、前記ネットワーク機器が、前記第１動作モードから離れることを前記端末に指示するための指示情報を、非アクティブ状態にある前記端末に送信する。
【００８０】
一実施形態では、コアネットワーク要素がアクセスネットワーク要素に指示情報を送信し、コアネットワーク要素がアクセスネットワーク要素に指示情報を送信する。
【００８１】
一実施形態では、前記指示情報は、前記コアネットワーク要素が前記アクセスネットワーク要素に送信するデータに運ばれる。
【００８２】
一実施形態では、前記コアネットワーク要素は、コアネットワークの制御プレーンネットワーク要素又はコアネットワークのユーザプレーンネットワーク要素である。さらに、前記指示情報は表示指示情報であってもよく、前記第１動作モードから離れることを端末に直接指示し、前記指示情報は暗黙の指示情報であってもよく、ＱｏＳ情報（例えば、遅延情報）によって、前記第１動作モードから離れることを端末に指示する。
【００８３】
方式３、前記ネットワーク機器が、非アクティブ状態で前記第１動作モードに対応する第１タイマーを前記端末とネゴシエートし、前記第１タイマーがタイムアウトする場合、前記端末が前記第１動作モードから離れることをトリガーする。
【００８４】
本発明の実施例では、前記第１動作モードから離れることとは、前記端末が前記第１動作モードのスリープ状態からウェイクアップされることを指す。
【００８５】
図４は本発明の実施例に係る動作モードの制御装置の概略構成図１であり、本実施例に係る動作モードの制御装置は端末に応用され、図４に示すように、前記装置は、
非アクティブ状態で第１動作モードから離れることをネットワーク機器とネゴシエートするように構成されるネゴシエートユニット４０１を備える。
【００８６】
一実施形態では、前記ネゴシエートユニット４０１は、
前記第１動作モードから離れることを要求するための第１要求メッセージを非アクティブ状態で前記ネットワーク機器に送信するように構成される送信サブユニット４０１１と、
前記ネットワーク機器から送信された、前記第１要求メッセージを拒絶すること又は前記第１要求メッセージを受け付けることを指示するための第１応答メッセージを受信するように構成される第１受信サブユニット４０１２と、
前記第１応答メッセージが前記第１要求メッセージを受け付けることを指示する場合、前記第１動作モードから離れるように構成される第１モード制御サブユニット４０１３と、を備える。
【００８７】
一実施形態では、前記送信サブユニット４０１１は、非アクティブ状態で前記第１動作モードのスリープ状態からウェイクアップしてネットワークと通信する必要がある場合、前記ネットワーク機器に前記第１要求メッセージを送信するように構成される。
【００８８】
一実施形態では、前記ネゴシエートユニット４０１は、
前記ネットワーク機器から送信された、前記第１動作モードから離れることを前記端末に指示するための指示情報を非アクティブ状態で受信するように構成される第２受信サブユニット４０１４と、
前記指示情報に基づき前記第１動作モードから離れるように構成される第２モード制御サブユニット４０１５と、を備える。
【００８９】
一実施形態では、前記第２受信サブユニット４０１４は、非アクティブ状態で前記第１動作モードのスリープ状態からウェイクアップしてネットワークと通信する必要がある場合、前記ネットワーク機器から送信された指示情報を受信するように構成される。
【００９０】
一実施形態では、前記第２受信サブユニット４０１４は、アクセスネットワーク要素から送信されたコアネットワーク要素からの指示情報を受信するように構成される。
【００９１】
一実施形態では、前記指示情報は、前記コアネットワーク要素が前記アクセスネットワーク要素に送信するデータに運ばれる。
【００９２】
一実施形態では、コアネットワーク要素からの前記指示情報は、コアネットワークの制御プレーンネットワーク要素からの指示情報、又はコアネットワークのユーザプレーンネットワーク要素からの指示情報である。
【００９３】
一実施形態では、前記指示情報はＱｏＳ情報を含む。
【００９４】
一実施形態では、前記ネゴシエートユニット４０１は、
非アクティブ状態で前記第１動作モードに対応する第１タイマーを前記ネットワーク機器とネゴシエートするように構成されるネゴシエートサブユニット４０１６と、
前記第１タイマーがタイムアウトする場合、前記第１動作モードから離れるように構成される第３モード制御サブユニット４０１７と、を備える。
【００９５】
一実施形態では、前記第３モード制御サブユニット４０１７はさらに、前記端末が前記第１動作モードに入ると、前記第１タイマーを再起動するように構成される。
【００９６】
一実施形態では、前記第１動作モードから離れることとは、前記端末が前記第１動作モードのスリープ状態からウェイクアップされることを指す。
【００９７】
本発明の実施例では、前記端末は、前記第１動作モードで、
測定操作、セル選択操作、セル再選択操作、ビーム選択操作、ビーム再選択操作、上り信号送信操作、下り信号受信操作という操作の少なくとも１つを実行しない。
【００９８】
当業者であれば、図４に示される動作モードの制御装置の各ユニットの実現機能が前述動作モードの制御方法の関連記述を参照して理解されることを理解すべきである。図４に示される動作モードの制御装置の各ユニットの機能は、プロセッサで実行されるプログラムにより実現されてもよく、具体的な論理回路により実現されてもよい。
【００９９】
図５は本発明の実施例に係る動作モードの制御装置の概略構成図２であり、本実施例に係る動作モードの制御装置はネットワーク機器に応用され、図５に示すように、前記装置は、
非アクティブ状態で第１動作モードから離れることを端末とネゴシエートするように構成されるネゴシエートユニット５０１を備える。
【０１００】
一実施形態では、前記ネゴシエートユニット５０１は、
非アクティブ状態にある前記端末から送信された、前記第１動作モードから離れることを要求するための第１要求メッセージを受信するように構成される受信サブユニット５０１１と、
前記第１要求メッセージを拒絶すること又は前記第１要求メッセージを受け付けることを指示するための第１応答メッセージを前記端末に送信するように構成される第１送信サブユニット５０１２と、を備える。
【０１０１】
一実施形態では、前記ネゴシエートユニット５０１は、前記第１動作モードから離れることを前記端末に指示するための指示情報を、非アクティブ状態にある前記端末に送信するように構成される。
【０１０２】
一実施形態では、前記ネゴシエートユニット５０１は、
アクセスネットワーク要素に指示情報を送信するように構成されるコアネットワーク送信サブユニット５０１３と、
アクセスネットワーク要素に指示情報を送信するように構成されるアクセスネットワーク送信サブユニット５０１４と、を備える。
【０１０３】
一実施形態では、前記指示情報は、前記コアネットワーク要素が前記アクセスネットワーク要素に送信するデータに運ばれる。
【０１０４】
一実施形態では、前記コアネットワーク要素は、コアネットワークの制御プレーンネットワーク要素又はコアネットワークのユーザプレーンネットワーク要素である。
【０１０５】
一実施形態では、前記指示情報はＱｏＳ情報を含む。
【０１０６】
一実施形態では、前記ネゴシエートユニット５０１は、非アクティブ状態で前記第１動作モードに対応する第１タイマーを前記端末とネゴシエートするように構成され、前記第１タイマーがタイムアウトする場合、前記端末が前記第１動作モードから離れることをトリガーする。
【０１０７】
一実施形態では、前記第１動作モードから離れることとは、前記端末が前記第１動作モードのスリープ状態からウェイクアップされることを指す。
【０１０８】
本発明の実施例では、前記端末は、前記第１動作モードで、
測定操作、セル選択操作、セル再選択操作、ビーム選択操作、ビーム再選択操作、上り信号送信操作、下り信号受信操作という操作の少なくとも１つを実行しない。
【０１０９】
当業者であれば、図５に示される動作モードの制御装置の各ユニットの実現機能が前述動作モードの制御方法の関連記述を参照して理解されることを理解すべきである。図５に示される動作モードの制御装置の各ユニットの機能は、プロセッサで実行されるプログラムにより実現されてもよく、具体的な論理回路により実現されてもよい。
【０１１０】
本発明の実施例に係る上記動作モードの制御装置はソフトウェア機能モジュールの形態で実現され、独立した製品として販売又は使用される場合、コンピュータ可読記憶媒体に記憶されてもよい。このような理解に基づき、本発明の実施例に係る技術案、又は従来技術に寄与する部分は、ソフトウェア製品の形態で実施することができ、当該コンピュータソフトウェア製品は１つの記憶媒体に記憶され、コンピュータ機器（パーソナルコンピュータ、サーバ、又はネットワーク機器等であってもよい）に本発明の各実施例に記載の方法の全部又は一部を実行させるための複数の指令を含む。前述の記憶媒体は、Ｕディスク、モバイルディスク、読み出し専用メモリ（ＲＯＭ：Ｒｅａｄ  Ｏｎｌｙ  Ｍｅｍｏｒｙ）、磁気ディスク又は光ディスク等のプログラムコードを記憶できる様々な媒体を含む。このように、本発明の実施例はいずれかの特定のハードウェアとソフトウェアの組み合わせに限定されない。
【０１１１】
これに対応して、本発明の実施例は、コンピュータ記憶媒体をさらに提供し、プロセッサによって実行されるときに本発明の実施例に係る上記動作モードの制御方法が実現されるコンピュータ実行可能指令が記憶されている。
【０１１２】
図６は本発明の実施例に係るコンピュータ機器の概略構成図であり、当該コンピュータ機器は端末であってもよく、ネットワーク機器であってもよい。図６に示すように、コンピュータ機器１００は、１つ以上（図中、１つのみが示される）のプロセッサ１００２（プロセッサ１００２は、マイクロコントローラユニット（ＭＣＵ：Ｍｉｃｒｏ  Ｃｏｎｔｒｏｌｌｅｒ  Ｕｎｉｔ）又はフィールドプログラマブルゲートアレイ（ＦＰＧＡ：Ｆｉｅｌｄ  Ｐｒｏｇｒａｍｍａｂｌｅ  Ｇａｔｅ  Ａｒｒａｙ）等の処理装置を含むが、それらに限定されない）と、データを記憶するためのメモリ１００４と、通信機能のための伝送装置１００６と、を備え得る。当業者であれば、図６に示される構成が例示的なものに過ぎず、上記電子装置の構成を限定しないことを理解すべきである。例えば、コンピュータ機器１００は、図６に示されるものよりも多い又は少ない構成要素を備えてもよく、又は図６に示されるものとは異なる構成を有してもよい。
【０１１３】
メモリ１００４はアプリケーションソフトウェアのソフトウェアプログラム及びモジュール、例えば、本発明の実施例の方法に対応するプログラム命令／モジュールを記憶するように構成され、プロセッサ１００２はメモリ１００４内に記憶されているソフトウェアプログラム及びモジュールを実行することにより、様々な機能アプリケーション及びデータ処理を実行し、即ち、上記の方法を実現する。メモリ１００４は、高速ランダムメモリを備えてもよく、１つ以上の磁気記憶装置、フラッシュメモリ、又は他の不揮発性固体メモリ等の不揮発性メモリを備えてもよい。いくつかの実例では、メモリ１００４はさらにプロセッサ１００２に対して遠隔に設置されたメモリを備えてもよく、これらの遠隔メモリはネットワークを介してコンピュータ機器１００に接続できる。上記ネットワークの実例は、インターネット、イントラネット、ローカルエリアネットワーク、移動通信ネットワーク及びそれらの組み合わせを含むが、それらに限定されない。
【０１１４】
伝送装置１００６はネットワークを介してデータを送受信するように構成される。上記のネットワークの具体的な実例はコンピュータ機器１００の通信プロバイダーによって提供される無線ネットワークを含んでもよい。一実例では、伝送装置１００６は、基地局を介して他のネットワーク機器に接続してインターネットと通信できる１つのネットワークインターフェースコントローラ（ＮＩＣ：Ｎｅｔｗｏｒｋ  Ｉｎｔｅｒｆａｃｅ  Ｃｏｎｔｒｏｌｌｅｒ）を備える。一実例では、伝送装置１００６は、無線方式でインターネットと通信するように構成される無線周波数（ＲＦ：Ｒａｄｉｏ  Ｆｒｅｑｕｅｎｃｙ）モジュールであってもよい。
【０１１５】
矛盾のない場合、本発明の実施例に記載の技術案を任意に組み合わせることができる。
【０１１６】
本発明に提供されるいくつかの実施例では、開示された方法及びスマート機器が他の形態で実現され得ることは理解されるべきである。以上に記述された機器実施例は例示的なものに過ぎず、例えば、前記ユニットの分割は、論理的機能分割の一例であり、実際の実現時に別の分割方式を有することができ、例えば、複数のユニット又は構成要素を組み合わせてもよく、又は別のシステムに集積してもよく、又は一部の特徴を無視してもよく、又は実行しなくてもよい。また、図示又は検討される各構成部分の相互結合又は直接結合又は通信接続は、あるインターフェース、機器又はユニットを介した間接結合又は通信接続であってもよく、電気的、機械的又は他の形態のものであってもよい。
【０１１７】
上記別々の部材として説明されるユニットは、物理的に分離されてもよく、物理的に分離されなくてもよく、ユニットとして示される部材は、物理ユニットであってもよく、物理ユニットでなくてもよく、即ち、１つの場所に位置してもよく、複数のネットワークユニットに分布してもよく、実際の需要に応じてそのうちの一部又は全部ユニットを選択して本実施例の技術案の目的を実現することができる。
【０１１８】
また、本発明の各実施例の各機能ユニットは全て１つの第２処理ユニットに集積されてもよく、ユニットのそれぞれが単独で１つのユニットとしてもよく、２つ以上のユニットが１つのユニットに集積されてもよい。上記集積されたユニットはハードウェアの形態で実現されてもよく、ハードウェアにソフトウェア機能ユニットを付加した形態で実現されてもよい。
【０１１９】
以上は、本発明の実施形態に過ぎず、本発明の保護範囲を制限するためのものではなく、当業者は本発明に開示された技術範囲内に、変化や置換を容易に想到でき、それらの変化や置換は本発明の保護範囲内に含まれる。
【図１】
2021514565.tif 000003
【図２】
2021514565.tif 000004
【図３】
2021514565.tif 000005
【図４】
2021514565.tif 000006
【図５】
2021514565.tif 000007
【図６】
2021514565.tif 000008
【手続補正書】
【提出日】令和2年12月10日(2020.12.10)
【手続補正１】
【補正対象書類名】特許請求の範囲
【補正対象項目名】全文
【補正方法】変更
【補正の内容】
【特許請求の範囲】
【請求項１】
動作モードの制御方法であって、
端末が、非アクティブ状態で第１動作モードから離れることをネットワーク機器とネゴシエートするステップを含む、前記動作モードの制御方法。
【請求項２】
前記端末が、非アクティブ状態で第１動作モードから離れることをネットワーク機器とネゴシエートするステップは、
前記端末が、前記第１動作モードから離れることを要求するための第１要求メッセージを非アクティブ状態で前記ネットワーク機器に送信するステップと、
前記端末が、前記ネットワーク機器から送信された、前記第１要求メッセージを拒絶すること又は前記第１要求メッセージを受け付けることを指示するための第１応答メッセージを受信するステップと、
前記第１応答メッセージが前記第１要求メッセージを受け付けることを指示する場合、前記端末が前記第１動作モードから離れるステップと、を含む、請求項１に記載の方法。
【請求項３】
前記端末が非アクティブ状態で前記ネットワーク機器に第１要求メッセージを送信するステップは、
前記端末が非アクティブ状態で前記第１動作モードのスリープ状態からウェイクアップしてネットワークと通信する必要がある場合、前記ネットワーク機器に前記第１要求メッセージを送信するステップを含む、請求項２に記載の方法。
【請求項４】
前記端末が、非アクティブ状態で第１動作モードから離れることをネットワーク機器とネゴシエートするステップは、
前記端末が、前記ネットワーク機器から送信された、前記第１動作モードから離れることを前記端末に指示するための指示情報を非アクティブ状態で受信するステップと、
前記端末が前記指示情報に基づき前記第１動作モードから離れるステップと、を含む、請求項１に記載の方法。
【請求項５】
前記端末が、前記ネットワーク機器から送信された指示情報を非アクティブ状態で受信するステップは、
前記端末が非アクティブ状態で前記第１動作モードのスリープ状態からウェイクアップしてネットワークと通信する必要がある場合、前記ネットワーク機器から送信された指示情報を受信するステップを含む、請求項４に記載の方法。
【請求項６】
前記ネットワーク機器から送信された指示情報を受信する前記ステップは、
前記端末がアクセスネットワーク要素から送信されたコアネットワーク要素からの指示情報を受信するステップを含む、請求項５に記載の方法。
【請求項７】
前記指示情報は、前記コアネットワーク要素が前記アクセスネットワーク要素に送信するデータに運ばれる、請求項６に記載の方法。
【請求項８】
コアネットワーク要素からの前記指示情報は、コアネットワークの制御プレーンネットワーク要素からの指示情報、又はコアネットワークのユーザプレーンネットワーク要素からの指示情報である、請求項６又は７に記載の方法。
【請求項９】
前記指示情報はサービス品質（ＱｏＳ）情報を含む、請求項８に記載の方法。
【請求項１０】
前記端末が、非アクティブ状態で第１動作モードから離れることをネットワーク機器とネゴシエートするステップは、
前記端末が、非アクティブ状態で前記第１動作モードに対応する第１タイマーを前記ネットワーク機器とネゴシエートするステップと、
前記第１タイマーがタイムアウトする場合、前記端末が前記第１動作モードから離れるステップと、を含む、請求項１に記載の方法。
【請求項１１】
前記方法は、
前記端末が前記第１動作モードに入ると、前記第１タイマーを再起動するステップをさらに含む、請求項１０に記載の方法。
【請求項１２】
前記第１動作モードから離れることとは、前記端末が前記第１動作モードのスリープ状態からウェイクアップされることを指す、請求項１〜１１のいずれか１項に記載の方法。
【請求項１３】
前記端末は、前記第１動作モードで、
測定操作、セル選択操作、セル再選択操作、ビーム選択操作、ビーム再選択操作、上り信号送信操作、下り信号受信操作という操作の少なくとも１つを実行しない、請求項１〜１２のいずれか１項に記載の方法。
【請求項１４】
動作モードの制御方法であって、
ネットワーク機器が、非アクティブ状態で第１動作モードから離れることを端末とネゴシエートするステップを含む、前記動作モードの制御方法。
【請求項１５】
前記ネットワーク機器が、非アクティブ状態で第１動作モードから離れることを端末とネゴシエートするステップは、
前記ネットワーク機器が、非アクティブ状態にある前記端末から送信された、前記第１動作モードから離れることを要求するための第１要求メッセージを受信するステップと、
前記ネットワーク機器が、前記第１要求メッセージを拒絶すること又は前記第１要求メッセージを受け付けることを指示するための第１応答メッセージを前記端末に送信するステップと、を含む、請求項１４に記載の方法。
【請求項１６】
前記ネットワーク機器が、非アクティブ状態で第１動作モードから離れることを端末とネゴシエートするステップは、
前記ネットワーク機器が、前記第１動作モードから離れることを前記端末に指示するための指示情報を、非アクティブ状態にある前記端末に送信するステップを含む、請求項１４に記載の方法。
【請求項１７】
前記ネットワーク機器が非アクティブ状態にある前記端末に指示情報を送信するステップは、
コアネットワーク要素がアクセスネットワーク要素に指示情報を送信するステップと、
前記アクセスネットワーク要素が前記端末に前記指示情報を送信するステップと、を含む、請求項１６に記載の方法。
【請求項１８】
前記ネットワーク機器が、非アクティブ状態で第１動作モードから離れることを端末とネゴシエートするステップは、
前記ネットワーク機器が、非アクティブ状態で前記第１動作モードに対応する第１タイマーを前記端末とネゴシエートするステップを含み、前記第１タイマーがタイムアウトする場合、前記端末が前記第１動作モードから離れることをトリガーする、請求項１４に記載の方法。
【請求項１９】
動作モードの制御装置であって、
請求項１〜１３のいずれか一項に記載の動作モードの制御方法の動作を実施するように構成される、前記動作モードの制御装置。
【請求項２０】
動作モードの制御装置であって、
請求項１４〜１８のいずれか一項に記載の動作モードの制御方法の動作を実行するように構成される、前記動作モードの制御装置。
【国際調査報告】
2021514565.tif 000009
2021514565.tif 000010
2021514565.tif 000011
2021514565.tif 000012